(57)【要約】【課題】ユーザが収集したウェブページの情報の中から所望のウェブページの情報を容易に探し出すことができる管理サーバ等を提供する。【解決手段】ユーザ端末１１は、ユーザが収集したウェブページに関する情報を取得し、登録対象データとして管理センタ１７に送信する。管理センタ１７は、ユーザ端末１１から取得した登録対象データに基づく登録ページ情報を生成し、ユーザ毎にデータベースに登録する。そして、管理センタ１７は、複数の情報供給方法のうち、ユーザが選択した情報供給方法を記憶しておき、ユーザ端末１１からの要求に応じて、要求元のユーザにより選択された情報供給方法に従って、そのユーザの登録ページ情報をユーザ端末１１に供給する。【選択図】　図１
2004013599.tif 000002
【特許請求の範囲】
【請求項１】
ユーザ端末とネットワークを介して接続可能な管理サーバであって、
ユーザが収集したウェブページに関する情報をユーザ端末から取得する手段と、
前記取得した情報に基づく登録ページ情報をユーザ毎にデータベースに登録する登録手段と、
複数の情報供給方法のうち、ユーザが選択した情報供給方法を示す情報をユーザ端末から取得して記憶する手段と、
ユーザ端末からの要求に応じて、要求元のユーザにより選択された情報供給方法に従って、前記データベースに登録されている前記ユーザの登録ページ情報を前記ユーザ端末に供給する手段と、
を備えることを特徴とする管理サーバ。
【請求項２】
前記登録ページ情報は、ウェブページについての、ＵＲＬと、タイトルと、画面イメージと、ユーザによるコメントと、カテゴリと、登録日時と、アクセス回数と、の少なくとも１つをデータ構成要素として含む、
ことを特徴とする請求項１に記載の管理サーバ。
【請求項３】
前記情報供給方法は、ウェブページの画面イメージのサムネイルを一覧表示させる方法を含む、
ことを特徴とする請求項１又は２に記載の管理サーバ。
【請求項４】
アクセス回数が所定回数以下のウェブページに対応する登録ページ情報を前記データベースから抽出してユーザ端末に供給し、ユーザにより指定された登録ページ情報を前記データベースから削除する、
ことを特徴とする請求項１乃至３のいずれか１項に記載の管理サーバ。
【請求項５】
前記データベースに登録されている登録ページ情報について、ウェブページ毎の登録状況を示す情報を前記ネットワークを介して公開する手段をさらに備える、
ことを特徴とする請求項１乃至４のいずれか１項に記載の管理サーバ。
【請求項６】
ネットワークを介して接続可能なユーザ端末と管理サーバを備えるシステムにおけるウェブページ情報管理方法であって、
前記ユーザ端末において、ユーザが指定したウェブページに関する情報を取得して記憶し、
前記管理センタにおいて、前記ウェブページに関する情報を前記ユーザ端末から取得し、前記取得した情報に基づく登録ページ情報をデータベースに記憶し、
前記管理センタにおいて、ユーザ端末からの要求に応じて、複数の情報供給方法のうち要求元のユーザにより選択された情報供給方法に従って、前記データベースに登録されている前記ユーザの登録ページ情報を前記ユーザ端末に供給する、
ことを特徴とするウェブページ情報管理方法。
【請求項７】
ユーザ端末とネットワークを介して接続可能なコンピュータを、
ユーザが収集したウェブページに関する情報をユーザ端末から取得する取得手段、
前記取得手段により取得した情報に基づく登録ページ情報をユーザ毎にデータベースに登録する手段、
複数の情報供給方法のうち、ユーザが選択した情報供給方法を示す情報をユーザ端末から取得して記憶する手段、
ユーザ端末からの要求に応じて、要求元のユーザにより選択された情報供給方法に従って、前記データベースに登録されている前記ユーザの登録ページ情報をユーザ端末に供給する手段、
として機能させることを特徴とするプログラム。
【発明の詳細な説明】
【０００１】
【発明の属する技術分野】
この発明は、ユーザが収集したウェブページに関する情報を管理し、ユーザに提供するためのシステム等に関する。
【０００２】
【従来の技術】
従来、ユーザはコンピュータを用いてインターネットに接続してウェブページの検索等を行い、気に入ったウェブページを見つけると、ブラウザの保存機能を用いてそれらのウェブページのＵＲＬやタイトルを保存していた。そして、収集したウェブページの情報を再利用する場合には、コンピュータに保存されたウェブページのＵＲＬやタイトルの一覧から所望のＵＲＬ又はタイトルを選び、これに対応するウェブページ情報を表示させていた。
【０００３】
【発明が解決しようとする課題】
上記のようなシステムでは、気に入ったウェブページについての保存件数が多くなると、ユーザはタイトルやＵＲＬを見ただけでは対応するウェブページの内容が思い出せなくなってしまい、所望のウェブページを探し出すことが困難となる場合があった。
【０００４】
この発明は、上記実状に鑑みてなされたものであり、ユーザが収集したウェブページの情報の中から所望のウェブページの情報を容易に探し出すことができる管理サーバ、ウェブページ情報管理方法等を提供することを目的とする。
【０００５】
【課題を解決するための手段】
上記目的を達成するため、この発明の第１の観点に係る管理サーバは、
ユーザ端末とネットワークを介して接続可能な管理サーバであって、
ユーザが収集したウェブページに関する情報をユーザ端末から取得する手段と、
前記取得した情報に基づく登録ページ情報をユーザ毎にデータベースに登録する登録手段と、
複数の情報供給方法のうち、ユーザが選択した情報供給方法を示す情報をユーザ端末から取得して記憶する手段と、
ユーザ端末からの要求に応じて、要求元のユーザにより選択された情報供給方法に従って、前記データベースに登録されている前記ユーザの登録ページ情報を前記ユーザ端末に供給する手段と、
を備えることを特徴とする。
【０００６】
この発明によれば、ユーザがウェブページ検索等により取得したウェブページの情報を管理サーバに登録しておき、登録したウェブページの情報について、例えば、ウェブページの画面イメージのサムネイルを表示する情報供給方法や、タイトルのキーワード検索を用いる情報供給方法や、登録日・アクセス回数等に基づくソートを用いる情報供給方法等、種々の情報供給方法からユーザが選択した方法により表示させることができるため、ユーザが過去に収集したウェブページの情報の中から所望のウェブページの情報を容易に探し出すことができる利便性の高いシステムを実現できる。
【０００７】
前記登録ページ情報は、ウェブページについての、ＵＲＬと、タイトルと、画面イメージと、ユーザによるコメントと、カテゴリと、登録日時と、アクセス回数と、の少なくとも１つをデータ構成要素として含んでもよい。
【０００８】
前記情報供給方法は、ウェブページの画面イメージのサムネイルを一覧表示させる方法を含んでもよい。
【０００９】
アクセス回数が所定回数以下のウェブページに対応する登録ページ情報を前記データベースから抽出してユーザ端末に供給し、ユーザにより指定された登録ページ情報を前記データベースから削除するようにしてもよい。
【００１０】
前記データベースに登録されている登録ページ情報について、ウェブページ毎の登録状況を示す情報を前記ネットワークを介して公開する手段をさらに備えてもよい。
【００１１】
この発明の第２の観点に係るウェブページ情報管理方法は、
ネットワークを介して接続可能なユーザ端末と管理サーバを備えるシステムにおけるウェブページ情報管理方法であって、
前記ユーザ端末において、ユーザが指定したウェブページに関する情報を取得して記憶し、
前記管理センタにおいて、前記ウェブページに関する情報を前記ユーザ端末から取得し、前記取得した情報に基づく登録ページ情報をデータベースに記憶し、
前記管理センタにおいて、ユーザ端末からの要求に応じて、複数の情報供給方法のうち要求元のユーザにより選択された情報供給方法に従って、前記データベースに登録されている前記ユーザの登録ページ情報を前記ユーザ端末に供給する、
ことを特徴とする。
【００１２】
この発明によれば、ユーザがウェブページ検索等により取得したウェブページの情報を管理サーバに登録しておき、登録したウェブページの情報について、例えば、ウェブページの画面イメージのサムネイルを表示する情報供給方法や、タイトルのキーワード検索を用いる情報供給方法や、登録日・アクセス回数等に基づくソートを用いる情報供給方法等、種々の情報供給方法からユーザが選択した方法により表示させることができるため、ユーザが過去に収集したウェブページの情報の中から所望のウェブページの情報を容易に探し出すことができる利便性の高いシステムを実現できる。
【００１３】
この発明の第３の観点に係るプログラムは、
ユーザ端末とネットワークを介して接続可能なコンピュータを、
ユーザが収集したウェブページに関する情報をユーザ端末から取得する取得手段、
前記取得手段により取得した情報に基づく登録ページ情報をユーザ毎にデータベースに登録する手段、
複数の情報供給方法のうち、ユーザが選択した情報供給方法を示す情報をユーザ端末から取得して記憶する手段、
ユーザ端末からの要求に応じて、要求元のユーザにより選択された情報供給方法に従って、前記データベースに登録されている前記ユーザの登録ページ情報をユーザ端末に供給する手段、
として機能させることを特徴とする。
【００１４】
【発明の実施の形態】
以下、本発明の実施の形態に係るウェブページ情報管理システムについて図面を参照して説明する。
【００１５】
図１はこの発明の実施の形態に係るウェブページ情報管理システムの構成を示す図である。図示するように、このウェブページ情報管理システムは、インターネット等のネットワーク１０を介して相互に接続されるユーザ端末１１と、管理者端末１３と、情報提供者端末１５と、管理センタ１７を備えている。
【００１６】
ネットワーク１０は、移動体通信網、電話回線、インターネット等から構成され、ユーザ端末１１、管理者端末１３、情報提供者端末１５と管理センタ１７との間で情報の送受信を可能とするためのものである。
【００１７】
ユーザ端末１１は、パーソナルコンピュータ１１ａ、携帯端末１１ｂ、携帯電話機１１ｃ等から構成され、ネットワーク１０を介して認証管理サーバ１３等との間で通信を行う。
ユーザ端末１１は、例えば図２に示すように、制御部１１１、記憶部１１２、表示部１１３、入力部１１４、通信制御部１１５、を備える。
【００１８】
制御部１１１は、記憶部１１２に記憶される動作プログラム等を実行することにより、情報収集部１１１ａ等を実現する。
情報収集部１１１ａは、例えば、ブラウザ機能等を備えるとともに、ユーザによる入力操作に応じて、表示部１１３に表示されているウェブページに関する情報（ＵＲＬ、タイトル、画面イメージ等）を取得し、登録対象データとして記憶部１１２に記憶する。また、情報収集部１１１ａは、ユーザの入力操作に応じて又は自動的に、この登録対象データに対するユーザのコメントやカテゴリの入力を受け付け、入力された情報を登録対象データに含める。
また、情報収集部１１１ａは、ユーザによる入力操作に応じて、記憶部１１２に記憶されている登録対象データを管理センタ１７に登録する処理、管理センタ１７に登録された情報を検索・閲覧する処理等を行う。
【００１９】
記憶部１１２は、制御部１１１が実行する動作プログラムや、処理に必要な各種のデータを記憶する。また、記憶部１１２は、登録対象データを記憶する。
表示部１１３は、ＣＲＴ、液晶ディスプレイ等の表示装置を含み、制御部１１１からの指示に従って種々の画面表示を行う。
入力部１１４は、マウス、キーボード等の入力装置を含み、入力されたデータを制御部１１１に通知する。
通信制御部１１５は、ネットワーク１０を介して管理センタ１７等との間でデータ通信を行うためのものである。
【００２０】
管理者端末１３は、管理センタ１７の管理者が操作するためのものであり、例えばパーソナルコンピュータ、携帯端末等のコンピュータから構成される。管理者端末１３は、管理者による入力操作に従って、図示せぬ記憶部に記憶される動作プログラム等を実行することにより、管理センタ１７に接続して、システム管理に関する種々の処理等を行う。
【００２１】
情報提供者端末１５は、インターネット上でウェブページ情報を提供する情報提供者が操作するためのものであり、例えば、パーソナルコンピュータ、携帯端末等のコンピュータから構成される。情報提供者端末１５は、情報提供者による入力操作に従って、図示せぬ記憶部に記憶される動作プログラム等を実行することにより、管理センタ１７に接続して、情報提供者が提供したウェブページ情報の利用状況（登録状況）を示す情報等を取得して表示する処理等を行う。
【００２２】
管理センタ１７は、例えば図３に示すように、制御部１７１と、記憶部１７２と、通信制御部１７３と、を備えるコンピュータ等から構成される。
【００２３】
制御部１７１は、記憶部１７２に記憶される動作プログラム等を実行することにより、ページ情報登録部１７１ａ、登録情報提供部１７１ｂ、登録情報整理部１７１ｃ、登録状況公開部１７１ｄ等を論理的に実現する。
【００２４】
ページ情報登録部１７１ａは、ユーザが収集したウェブページに関する情報（登録対象データ）をユーザ端末１１から受信し、受信データに基づいて登録ページ情報を生成し、記憶部１７２の登録データベース１７２ａに登録する処理を行う。この登録ページ情報は、例えば図４に示すように、ユーザＩＤ、ＵＲＬ（Ｕｎｉｆｏｒｍ　Ｒｅｓｏｕｒｃｅ　Ｌｏｃａｔｏｒ）、タイトル、ウェブページの画面イメージ、カテゴリ、アクセス回数、登録日時、ユーザのコメント等のデータ項目を含む。
【００２５】
登録情報提供部１７１ｂは、ユーザ端末１１から登録ページ情報の要求を受け付けると、そのユーザの登録ページ情報を登録データベース１７２ａから読み出してユーザ端末１１に供給する登録情報供給処理を行う。この登録情報供給処理では、複数の情報供給方法の中からユーザが選択した情報供給方法に従って登録ページ情報を表示する画面情報を生成し、ユーザ端末１１に供給する。このユーザ端末１１に供給される画面は、例えば、各ウェブページにアクセス可能に構成され、いずれかのウェブページへのアクセス要求が発生すると、登録情報提供部１７１ｂは、該当する登録ページ情報におけるアクセス回数を更新する。
また、登録情報提供部１７１ｂは、ユーザにより選択された情報供給方法を示す情報（情報供給方法コード）を記憶部１７２にユーザ毎に記憶しておき、ユーザから情報供給方法の変更要求があるまで、同じ情報供給方法を用いる。
【００２６】
ここで、各情報供給方法の詳細について説明する。
（１）「ウェブページのＵＲＬの一覧」
この情報供給方法が選択された場合、登録情報提供部１７１ｂは、そのユーザについて登録されている登録ページ情報からＵＲＬのデータを抽出し、これらの一覧画面を生成して、ユーザ端末１１に供給する。
【００２７】
（２）「ウェブページのタイトルの一覧」
この情報供給方法が選択された場合、登録情報提供部１７１ｂは、そのユーザについて登録されている登録ページ情報からウェブページのタイトルのデータを抽出し、これらの一覧画面を生成して、ユーザ端末１１に供給する。
【００２８】
（３）「ウェブページのサムネイルの一覧」
この情報供給方法が選択された場合、登録情報提供部１７１ｂは、そのユーザについて登録されている登録ページ情報からウェブページのＵＲＬ、タイトル、画面イメージのデータを抽出し、そのうちの画面イメージを縮小化してサムネイルを生成する。そして、サムネイルとともにＵＲＬとタイトルを表示するような一覧画面を生成して、ユーザ端末１１に供給する。なお、ＵＲＬとタイトルのうちの一方をサムネイルとともに表示するようにしてもよい。
【００２９】
（４）「検索キーワードをタイトルに含むウェブページのサムネイルの一覧」
この情報供給方法が選択された場合、登録情報提供部１７１ｂは、検索キーワードの入力画面をユーザ端末１１に供給して検索キーワードの入力を受け付け、そのユーザについて登録されている登録ページ情報のうち、タイトルに検索キーワードを含むものを検出する。そして、該当する登録ページ情報について、ＵＲＬ、タイトル、画面イメージのデータを抽出し、そのうちの画面イメージを縮小化してサムネイルを生成し、サムネイルとともにＵＲＬとタイトルを表示するような一覧画面を生成して、ユーザ端末１１に供給する。
なお、ＵＲＬとタイトルのうちの一方をサムネイルとともに表示するようにしてもよい。
【００３０】
（５）「検索キーワードを含むタイトルの一覧」
この情報供給方法が選択された場合、登録情報提供部１７１ｂは、検索キーワードの入力画面をユーザ端末１１に供給して検索キーワードの入力を受け付け、そのユーザについて登録されている登録ページ情報のうち、タイトルに検索キーワードを含むものを抽出し、これらのタイトルの一覧画面を生成して、ユーザ端末１１に供給する。
【００３１】
（６）「アクセス件数の多い順のタイトル一覧」
この情報供給方法が選択された場合、登録情報提供部１７１ｂは、そのユーザについて登録されている登録ページ情報についてアクセス回数の多い順にソートし、ソートされた順番のタイトルの一覧画面を生成して、ユーザ端末１１に供給する。
【００３２】
（７）「アクセス件数の多い順のＵＲＬ一覧」
この情報供給方法が選択された場合、登録情報提供部１７１ｂは、そのユーザについて登録されている登録ページ情報についてアクセス回数の多い順にソートし、ソートされた順番のＵＲＬの一覧画面を生成して、ユーザ端末１１に供給する。
【００３３】
（８）「登録日時が新しい順のタイトル一覧」
この情報供給方法が選択された場合、登録情報提供部１７１ｂは、そのユーザについて登録されている登録ページ情報について登録日時の新しい順にソートし、ソートされた順番のタイトルの一覧画面を生成して、ユーザ端末１１に供給する。
【００３４】
（９）「登録日時が新しい順のＵＲＬ一覧」
この情報供給方法が選択された場合、登録情報提供部１７１ｂは、そのユーザについて登録されている登録ページ情報について登録日時の新しい順にソートし、ソートされた順番のＵＲＬの一覧画面を生成して、ユーザ端末１１に供給する。
【００３５】
（１０）「アクセス回数の多い順のサムネイル一覧」
この情報供給方法が選択された場合、登録情報提供部１７１ｂは、そのユーザについて登録されている登録ページ情報についてアクセス回数の多い順にソートし、ソートされた順番に、サムネイルとＵＲＬとタイトルを表示するような一覧画面を生成して、ユーザ端末１１に供給する。なお、ＵＲＬとタイトルのうちの一方をサムネイルとともに表示するようにしてもよい。
【００３６】
（１１）「登録日時が新しい順のサムネイル一覧」
この情報供給方法が選択された場合、登録情報提供部１７１ｂは、そのユーザについて登録されている登録ページ情報について登録日時の新しい順にソートし、ソートされた順番に、サムネイルとＵＲＬとタイトルを表示するような一覧画面を生成して、ユーザ端末１１に供給する。なお、ＵＲＬとタイトルのうちの一方をサムネイルとともに表示するようにしてもよい。
【００３７】
（１２）「指定されたカテゴリで、且つ、アクセス回数の多い順のタイトル一覧」
この情報供給方法が選択された場合、登録情報提供部１７１ｂは、そのユーザについて登録されている登録ページ情報から、指定されたカテゴリに該当する登録ページ情報を抽出し、抽出した登録ページ情報について、アクセス回数の多い順にソートし、ソートされた順番のタイトルの一覧画面を生成して、ユーザ端末１１に供給する。
【００３８】
（１３）「指定されたカテゴリで、且つ、アクセス回数の多い順のＵＲＬ一覧」
この情報供給方法が選択された場合、登録情報提供部１７１ｂは、カテゴリの入力画面をユーザ端末１１に供給してカテゴリの入力を受け付け、そのユーザについて登録されている登録ページ情報から、指定されたカテゴリに該当する登録ページ情報を抽出し、抽出した登録ページ情報についてアクセス回数の多い順にソートし、ソートされた順番のＵＲＬの一覧画面を生成して、ユーザ端末１１に供給する。
【００３９】
（１４）「指定されたカテゴリで、且つ、登録日時が新しい順のタイトル一覧」
この情報供給方法が選択された場合、登録情報提供部１７１ｂは、カテゴリの入力画面をユーザ端末１１に供給してカテゴリの入力を受け付け、そのユーザについて登録されている登録ページ情報から、指定されたカテゴリに該当する登録ページ情報を抽出し、抽出した登録ページ情報について登録日時の新しい順にソートし、ソートされた順番のタイトルの一覧画面を生成して、ユーザ端末１１に供給する。
【００４０】
（１５）「指定されたカテゴリで、且つ、登録日時が新しい順のＵＲＬ一覧」
この情報供給方法が選択された場合、登録情報提供部１７１ｂは、カテゴリの入力画面をユーザ端末１１に供給してカテゴリの入力を受け付け、そのユーザについて登録されている登録ページ情報から、指定されたカテゴリに該当する登録ページ情報を抽出し、抽出した登録ページ情報について、登録日時の新しい順にソートし、ソートされた順番のＵＲＬの一覧画面を生成して、ユーザ端末１１に供給する。
【００４１】
（１６）「指定されたカテゴリで、且つ、アクセス回数の多い順のサムネイル一覧」
この情報供給方法が選択された場合、登録情報提供部１７１ｂは、カテゴリの入力画面をユーザ端末１１に供給してカテゴリの入力を受け付け、そのユーザについて登録されている登録ページ情報から、指定されたカテゴリに該当する登録ページ情報を抽出し、抽出した登録ページ情報についてアクセス回数の多い順にソートし、ソートされた順番に、サムネイルとＵＲＬとタイトルを表示するような一覧画面を生成して、ユーザ端末１１に供給する。なお、ＵＲＬとタイトルのうちの一方をサムネイルとともに表示するようにしてもよい。
【００４２】
（１７）「指定されたカテゴリで、且つ、登録日時が新しい順のサムネイル一覧」
この情報供給方法が選択された場合、登録情報提供部１７１ｂは、カテゴリの入力画面をユーザ端末１１に供給してカテゴリの入力を受け付け、そのユーザについて登録されている登録ページ情報から、指定されたカテゴリに該当する登録ページ情報を抽出し、抽出した登録ページ情報について、登録日時の新しい順にソートし、ソートされた順番に、サムネイルとＵＲＬとタイトルを表示するような一覧画面を生成して、ユーザ端末１１に供給する。なお、ＵＲＬとタイトルのうちの一方をサムネイルとともに表示するようにしてもよい。
【００４３】
なお、上記（１）、（２）、（５）〜（９）、（１２）〜（１５）の情報供給方法において、ＵＲＬとタイトルの両方を表示するようにしてもよい。
【００４４】
登録情報整理部１７１ｃは、記憶部１７２のデータベースに登録されている登録ページ情報について、所定期間におけるアクセス回数が所定回数以下の情報を削除候補として抽出し、一覧にしてユーザ端末１１に供給し、ユーザから削除対象として指定された登録ページ情報を削除する処理等を行う。
【００４５】
登録状況公開部１７１ｄは、記憶部１７２の登録状況データベース１７２ｂに登録されている各ウェブページについて、その登録件数等の情報をネットワーク１０を介して公開する処理を行う。例えば、情報提供者端末１５からウェブページを特定する情報（ＵＲＬ等）の入力を受け付け、入力されたＵＲＬ等の情報について記憶部１７２の後述する登録状況データベース１７２ｂを検索し、その情報提供者によるウェブページの登録件数等の情報を読み出して、情報提供者端末１５に供給する。
【００４６】
記憶部１７２は、制御部１７１が実行する動作プログラムや、処理に必要な各種のデータを記憶する。また、記憶部１７２は、例えば図４に示すような登録ページ情報をユーザ毎に記憶する登録データベース１７２ａと、登録データベース１７２ａにおける各ウェブページの登録件数を示す情報を記憶する登録状況データベース１７２ｂと、を備える。
なお、登録状況データベース１７２ｂに登録される各ウェブページの登録件数を示す情報は、登録状況公開部１７１ｄが登録データベース１７２ａの登録情報を所定時間毎に参照して各ウェブページの登録件数を計数し、計数結果に基づいて生成・登録するようにしてもよく、また、管理者が管理者端末１３を用いて管理センタ１７にアクセスし、登録データベース１７２ａの登録情報を参照して生成・登録するようにしてもよい。
【００４７】
通信制御部１７３は、ネットワーク１０を介してユーザ端末１１、管理者端末１３、情報提供者端末１５等との間でデータ通信を行うためのものである。
【００４８】
以下に、この実施の形態に係るウェブページ情報管理システムの動作について本発明の特徴部分を中心に説明する。
【００４９】
初めに、管理センタ１７に登録ページ情報を登録するための処理について図５を参照して説明する。
例えば、ユーザは、ユーザ端末１１を操作してインターネットに接続し、ウェブページの検索を行う（Ｓ１１）。そして、収集・保存したいウェブページを見つけると、画面上の所定のボタンをクリックする等の入力操作を行う。これに応じて、ユーザ端末１１は、画面表示されているウェブページのＵＲＬ、タイトル、画面イメージ等のデータを登録対象データとして保存する（Ｓ１２）。このとき、ユーザの入力操作に応じて又は自動的に、コメント入力欄やカテゴリ入力欄等を表示してユーザからの入力を受け付け、入力データも登録対象データに含める。
【００５０】
ユーザは上記の操作を繰り返すことにより、気に入ったウェブページの情報をユーザ端末１１を用いて収集する。
そして、ユーザは収集したデータを管理センタ１７に登録するため、ユーザ端末１１を操作してネットワーク１０を介して管理センタ１７にアクセスする（Ｓ１３）。
管理センタ１７は、アクセス元のユーザ端末１１に対して、例えば、ユーザＩＤ等の本人確認のための情報の入力をユーザに要求し、入力された情報に基づいてユーザ認証処理等を行う（Ｓ１４）。
そして、本人確認の後、管理センタ１７は、「ウェブページ情報の登録」、「登録情報の閲覧」等の処理メニューを表示するメニュー画面をユーザ端末１１に供給する（Ｓ１５）。ここでは、ユーザは「ウェブページ情報の登録」を選択し、これに応じて、ユーザ端末１１は選択内容を管理センタ１７に送信する（Ｓ１６）。
【００５１】
管理センタ１７は、メニューから「ウェブページ情報の登録」が選択された旨の情報をユーザ端末１１から受信すると、登録対象データをユーザ端末１１に要求する（Ｓ１７）。
ユーザ端末１１は、記憶部１１２に保存していた登録対象データを読み出して管理センタ１７に送信する（Ｓ１８）。このとき、保存されていた登録対象データを一括送信してもよく、また、ユーザが取捨選択できるようにしてもよい。
管理センタ１７は、ユーザ端末１１からの受信データに基づいて登録ページ情報を生成し、登録データベース１７２ａに登録する（Ｓ１９）。
【００５２】
次に、管理センタ１７に登録されている登録ページ情報をユーザが閲覧する場合の処理について図６を参照して説明する。
まず、ユーザは管理センタ１７に登録した情報を閲覧するため、ユーザ端末１１を操作してネットワーク１０を介して管理センタ１７にアクセスする（Ｓ２１）。
管理センタ１７は、アクセス元のユーザ端末１１に対して、例えば、ユーザＩＤ等の本人確認のための情報の入力をユーザに要求し、入力された情報に基づいてユーザ認証処理等を行う（Ｓ２２）。
そして、本人確認の後、管理センタ１７は、「ウェブページ情報の登録」、「登録情報の閲覧」等の処理メニューを表示するメニュー画面をユーザ端末１１に供給する（Ｓ２３）。ここでは、ユーザは「登録情報の閲覧」を選択し、これに応じて、ユーザ端末１１は選択内容を管理センタ１７に送信する（Ｓ２４）。
【００５３】
管理センタ１７は、メニューから「登録情報の閲覧」が選択された旨の情報をユーザ端末１１から受信すると、そのユーザについて登録されている情報供給方法コードを参照する。そして、登録されている情報供給方法コードが示す情報供給方法に従って、登録データベース１７２ａに登録されているユーザの登録ページ情報を表示する画面情報を生成する処理を行い（Ｓ２５）、生成した画面情報をユーザ端末１１に送信して表示させる（Ｓ２６、Ｓ２７）。
【００５４】
例えば、「検索キーワードをタイトルに含むウェブページのサムネイルの一覧」の情報供給方法コードが登録されているユーザの場合には、管理センタ１７は、まず図７（ａ）に示すような検索キーワード入力画面をユーザ端末１１に供給する。そして、検索キーワードが入力されると、そのユーザについて登録されている登録ページ情報から検索キーワードをタイトルに含む登録ページ情報を検出し、該当する登録ページ情報について、ＵＲＬ、タイトル、画面イメージのデータを抽出し、そのうちの画面イメージを縮小化してサムネイルを生成する。そして、例えば図７（ｂ）に示すような、サムネイルとともにＵＲＬとタイトルを表示するような一覧の画面情報を生成して、ユーザ端末１１に供給する。
【００５５】
なお、そのユーザについて情報供給方法コードが登録されていない場合や、ユーザから情報供給方法を変更したい旨の入力を受け付けた場合には、例えば図８に示すような、複数の情報供給方法から所望の情報供給方法を選択させる入力画面をユーザ端末１１に供給して、情報供給方法の選択入力を受け付ける。そして、ユーザにより選択された情報供給方法に対応する情報供給方法コードを記憶し、以後、登録された情報供給方法に従って登録ページ情報をユーザ端末１１に供給する。
【００５６】
次に、情報提供者が管理センタ１７にアクセスして、その情報提供者がインターネット上で公開するウェブページの利用状況を把握する場合の処理について図９を参照して説明する。
例えば、情報提供者は情報提供者端末１５を操作して、例えば管理センタ１７による、各ウェブページの利用状況を公開するサイトにアクセスする（Ｓ３１）。
これに応じて、管理センタ１７は、例えば、ＵＲＬ等のウェブページを特定する情報の入力画面をアクセス元の情報提供者端末１５に供給する（Ｓ３２）。
情報提供者は、自己のＵＲＬ等を入力し、情報提供者端末１５は、入力されたデータを管理センタ１７に送信する（Ｓ３３）。
管理センタ１７は、情報提供者端末１５から受信したＵＲＬ等の情報について登録状況データベース１７２ｂを参照し、該当するウェブページの登録件数等の情報を表示する画面情報を生成して（Ｓ３４）、情報提供者端末１５に供給する（Ｓ３５）。情報提供者端末１５は、受信した画面情報を表示する（Ｓ３６）。
【００５７】
以上説明したように、本発明によれば、ユーザがウェブページ検索等により取得したウェブページの情報を管理センタ１７に登録しておき、登録したウェブページの情報について、ＵＲＬとタイトルを表示するだけでなく、画面イメージのサムネイルを表示したり、タイトルのキーワード検索や、登録日・アクセス回数に基づくソート等を可能としているため、ユーザが過去に検索等により収集したウェブページの情報の中から所望のウェブページの情報を容易に探し出すことができる利便性の高いシステムを実現できる。特に、ウェブページのサムネイルを一覧表示させることにより、ユーザは、各ウェブページの画面を表示させることなく、各ウェブページの内容を容易に把握することができる。また、収集したウェブページの情報についてキーワード検索機能を用いることにより、迅速に所望のウェブページを探し出すことができる。
【００５８】
なお、サムネイルの表示方法は任意であり、例えば、縦一列又は横一列又は縦横複数列に表示してもよい。また、サムネイルを重ねて表示してもよく、重ねる方向は任意であり、例えば、上、下、左、右等でもよい。
【００５９】
また、上記説明における登録ページ情報の情報供給方法は一例であって、これに限定されず種々の情報供給方法を用いても良い。例えば、入力されたキーワードをページ内に含む登録ページ情報を抽出して一覧表示する方法を用いてもよく、また、入力されたキーワードをコメントに含む登録ページ情報を抽出して一覧表示する方法を用いてもよい。
また、ユーザが登録ページ情報を閲覧する度に、情報供給方法を選択させるようにしてもよい。
【００６０】
また、情報提供者に対するウェブページの登録件数等の情報の提供手段は、上記説明に限定されず任意であり、例えば、登録データベース１７２ａに登録されている全ウェブページについての登録件数等の一覧をウェブページで公開するようにしてもよい。この場合、管理センタ１７又は管理者が、登録データベース１７２ａの登録内容に基づいてウェブページを生成してもよい。
また、各ウェブページの登録件数の計数を、情報提供者からのアクセスがある度に行うようにしてもよい。
【００６１】
また、上記システムにおける各装置やＤＢの構成は、任意に変更可能である。また、管理センタ１７は、協同して動作する複数台のコンピュータシステムから構成されてもよく、各サーバの機能を１台のコンピュータシステムで統合して実現してもよい。
【００６２】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行するユーザ端末１１、管理者端末１３、情報提供者端末１５、管理センタ１７等を構成してもよい。また、インターネット等のネットワーク上のサーバ装置が有するディスク装置に格納しておき、例えば搬送波に重畳してコンピュータにダウンロード等するようにしてもよい。
また、上述の機能を、ＯＳが分担又はＯＳとアプリケーションの共同により実現する場合等には、ＯＳ以外の部分のみを媒体に格納して配布してもよく、また、搬送波に重畳してコンピュータにダウンロード等してもよい。
【００６３】
【発明の効果】
この発明によれば、ユーザが収集したウェブページの情報の中から所望のウェブページの情報を容易に探し出すことができる。
【図面の簡単な説明】
【図１】この発明の実施の形態に係るウェブページ情報管理システムの構成を示す図である。
【図２】図１のウェブページ情報管理システムで使用されるユーザ端末の構成を示す図である。
【図３】図１のウェブページ情報管理システムで使用される管理センタの構成を示す図である。
【図４】登録ページ情報の構成の一例を示す図である。
【図５】管理センタに登録ページ情報を登録する処理を説明するための図である。
【図６】管理センタに登録されている登録ページ情報をユーザが閲覧する場合の処理を説明するための図である。
【図７】（ａ）は、検索キーワード入力画面の一例を示す図であり、（ｂ）は、サムネイルとともにＵＲＬとタイトルを表示する画面の一例を示す図である。
【図８】登録ページ情報を表示するための複数の情報供給方法から所望の情報供給方法を選択させる入力画面の一例を示す図である。
【図９】情報提供者がインターネット上で公開するウェブページの利用状況を把握する場合の処理を説明するための図である。
【符号の説明】
１０　　　　　　　ネットワーク
１１　　　　　　　ユーザ端末
１３　　　　　　　管理者端末
１５　　　　　　　情報提供者端末
１７　　　　　　　管理センタ
１１１、１７１　　制御部
１１２、１７２　　記憶部
１１３　　　　　　表示部
１１４　　　　　　入力部
１１５　　　　　　通信制御部
１７３　　　　　　通信制御部
１１１ａ　　　　　情報収集部
１７１ａ　　　　　ページ情報登録部
１７１ｂ　　　　　登録情報提供部
１７１ｃ　　　　　登録情報整理部
１７１ｄ　　　　　登録状況公開部
１７２ａ　　　　　登録データベース
１７２ｂ　　　　　登録状況データベース
【図１】
2004013599.tif 000003
【図２】
2004013599.tif 000004
【図３】
2004013599.tif 000005
【図４】
2004013599.tif 000006
【図５】
2004013599.tif 000007
【図６】
2004013599.tif 000008
【図７】
2004013599.tif 000009
【図８】
2004013599.tif 000010
【図９】
2004013599.tif 000011